(57)【要約】      （修正有）【課題】上層及び下層のコンクリート部材が構造体として機能し、火災時に上層及び下層のコンクリート部材の間でせん断ずれ変形が発生するのを防止することのできる防水床スラブを提供する。【解決手段】上層のコンクリート部材３０及び下層のコンクリート部材２０は躯体であり、防水層１０は、下層のコンクリート部材２０の上面に配置される非透水性のプレート５２、及び、プレート５２の上下面からそれぞれ突出し、上層および下層のコンクリート部材３０、２０の少なくともいずれかに埋設されるシアー筋５４により構成され、大梁２の略上方に配置された複数のせん断補強部材５０と、せん断補強部材５０のプレート５２間に跨って、上層のコンクリート部材３０の上面を覆うように配置された非透水性材料からなる防水シート６０とで構成される。【選択図】図３
2008008007.tif 000002
【特許請求の範囲】
【請求項１】
梁部材に支持され、下層のコンクリート部材と、この下層のコンクリート部材の上側となる上層のコンクリート部材と、前記下層及び上層のコンクリート部材の間に設けられる防水層とからなる防水床スラブであって、
前記防水層は、少なくとも一部が前記梁部材の上方に配置されるプレートと、前記プレート間に跨って、前記下層のコンクリート部材の上面を覆うように配置された非透水性のシートとで構成され、
前記プレートには、その上下面から前記梁部材の上方において夫々突出し、前記上層及び下層のコンクリート部材に埋設される補強部材が設けられていることを特徴とする防水床スラブ。
【請求項２】
前記上層のコンクリート部材と、前記防水層と、前記下層のコンクリート部材とは、それらが組み合わせられることによってはじめて建物の躯体を構成することを特徴とする請求項１記載の防水床スラブ。
【請求項３】
請求項１又は２に記載の防水床スラブであって、
前記補強部材は、前記プレートに接合されたシアー筋本体と、前記シアー筋本体の先端側から外側へ張り出した頭部とを備えることを特徴とする防水床スラブ。
【請求項４】
請求項１又は２に記載の防水床スラブであって、
前記補強部材は、一端が前記梁部材に溶接され、他端の端部付近に螺条部を備えるスタッドからなり、
前記スタッドは、前記螺条部が前記上層のコンクリート部材上面より突出するように設けられ、
前記上層のコンクリート部材及び下層のコンクリート部材は、前記スタッドの螺条にナットを螺合させることにより拘束されていることを特徴とする防水床スラブ。
【請求項５】
前記梁部材は、耐火被覆が施されている鉄骨部材からなることを特徴とする請求項１から４何れかに記載の防水床スラブ。
【請求項６】
請求項１から５の何れかに記載の防水床スラブにおいて、
複数の前記プレートは、互いに連結されることによりユニット化されていることを特徴とする防水床スラブ。
【請求項７】
前記非透水性のシートは、表裏面に前記下層のコンクリート部材及び前記上層のコンクリート部材との付着強度を高める手段を有する防水シートからなることを特徴とする請求項１から６何れかに記載の防水床スラブ。
【請求項８】
請求項７記載の防水床スラブであって、
前記付着強度を高める手段として、
前記防水シートの表裏面には起毛が形成され、
前記起毛が前記上層のコンクリート部材及び下層のコンクリート部材に埋め込まれていることを特徴とする防水床スラブ。
【請求項９】
請求項１から８いずれか記載の防水床スラブであって、
前記下層のコンクリート部材の下側にデッキスラブを備えることを特徴とする防水床スラブ。
【請求項１０】
請求項９記載の防水床スラブであって、
前記デッキスラブの下面を覆うように耐火性材料からなる耐火層を設けられていることを特徴とする防水床スラブ。
【請求項１１】
請求項１から１０いずれか記載の防水床スラブであって、
前記下層のコンクリート部材及び前記上層のコンクリート部材の少なくとも一方が鉄筋コンクリート部材であることを特徴とする防水床スラブ。
【請求項１２】
梁部材に支持される床スラブの防水方法であって、
前記床スラブを、下層のコンクリート部材と、この下層のコンクリート部材の上側となる上層のコンクリート部材と、前記下層及び上昇のコンクリート部材の間に設けられる防水層とで構成し、
前記防水層を、少なくとも一部が前記梁部材の上方に配置されるプレートと、前記プレート間に跨って、前記下層のコンクリート部材の上面を覆うように配置された非透水性のシートとで構成し、
前記プレートには、その上下面から前記梁部材の上方において夫々突出し、前記上層及び下層のコンクリート部材に埋設される補強部材を設けることを特徴とする床スラブの防水方法。
【発明の詳細な説明】
【技術分野】
【０００１】
本発明は、防水床スラブに関し、特に、構造体としての機能と防水性能とを確保した上で、充分な耐火性を有する防水床スラブに関する。
【背景技術】
【０００２】
従来より、屋上などの雨水に曝される床スラブを駐車場や歩行用として利用する場合には、鉄筋コンクリート製の床スラブの上に防水層を設け、この防水層の上に防水層を傷めないためのアスファルト等の押えコンクリート層を設けた防水床スラブが採用されている（例えば、特許文献１参照）。このような防水床スラブによれば、床スラブと押えコンクリート層との間に防水層が設けられるため、押えコンクリート層に雨水等が降り注がれても、防水層によって床スラブ側へと浸水することを防止できる。
【特許文献１】特開平５−１２５８０１号公報
【発明の開示】
【発明が解決しようとする課題】
【０００３】
しかしながら、このような防水床スラブでは、床スラブと押えコンクリート層との間に介在する防水層によって、床スラブと押えコンクリート層とが縁切りされているため、押えコンクリート層は構造体として機能せず、あくまで、防水層を押さえるためのものとして機能するにすぎない。このため、床スラブを支持する柱や梁では、床スラブの荷重に加えて、押えコンクリート層の荷重も考慮して設計とする必要があり、梁せいが大きくなる等してコスト高になるという問題がある。
【０００４】
そこで、本願出願人らは、特願２００５−３０８７８７において、防水層を構成する防水シートに下層のコンクリート部材及び前記上層のコンクリート部材との付着強度を高める手段を有する防水シートを用いることにより、構造体としての機能と防水性能とを確保した上で、構成部材の使用量を減少させて、コストを抑えることのできる防水床スラブを提案している。
しかし、上記の防水床スラブは、火災時に防水層の付着強度が低下するため、上層のコンクリート部材と、下層のコンクリート部材との間でせん断ずれ変形を生じる虞がある。
【０００５】
本発明は上記の問題に鑑みなされたものであり、その目的は、上層及び下層のコンクリート部材が構造体として機能し、火災時に上層及び下層のコンクリート部材の間でせん断ずれ変形が発生するのを防止することのできる防水床スラブを提供することにある。
【課題を解決するための手段】
【０００６】
本発明の防水床スラブは、梁部材に支持され、下層のコンクリート部材と、この下層のコンクリート部材の上側となる上層のコンクリート部材と、前記下層及び上層のコンクリート部材の間に設けられる防水層とからなる防水床スラブであって、前記防水層は、少なくとも一部が前記梁部材の上方に配置されるプレートと、前記プレート間に跨って、前記下層のコンクリート部材の上面を覆うように配置された非透水性のシートとで構成され、前記プレートには、その上下面から前記梁部材の上方において夫々突出し、前記上層及び下層のコンクリート部材に埋設される補強部材が設けられていることを特徴とする。
【０００７】
また、上記の防水床スラブにおいて、前記上層のコンクリート部材と、前記防水層と、前記下層のコンクリート部材とは、それらが組み合わせられることによってはじめて建物の躯体を構成してもよい。つまり、上層のコンクリート部材及び下層のコンクリート部材の何れか一方のみでは建物の躯体を構成しなくてもよい。
また、前記補強部材は、前記プレートに接合されたシアー筋本体と、前記シアー筋本体の先端側から外側へ張り出した頭部とを備えてもよい。
【０００８】
本発明によれば、下層のコンクリート部材と上層のコンクリート部材との間でせん断応力を伝達させることができ、防水床スラブに十分な耐力を付与できる。このため、下層のコンクリート部材に加えて上層のコンクリート部材も構造体として機能させることができる。
【０００９】
また、上記の防水床スラブにおいて、前記補強部材は、一端が前記梁部材に溶接され、他端の端部付近に螺条部を備えるスタッドからなり、前記スタッドは、前記螺条部が前記上層のコンクリート部材上面より突出するように設けられ、前記上層のコンクリート部材及び下層のコンクリート部材は、前記スタッドの螺条にナットを螺合させることにより拘束されていてもよい。
このように、補強部材を鉄骨部材に溶接する構成としたため、梁とスラブを固定するスタッドを省略することができる。
【００１０】
また、上記の防水床スラブにおいて、前記梁部材は、耐火被覆が施されている鉄骨部材からなるものであってもよい。また、複数の前記プレートは、互いに連結されることによりユニット化されていてもよい。
【００１１】
また、前記非透水性のシートは、表裏面に前記下層のコンクリート部材及び前記上層のコンクリート部材との付着強度を高める手段を有する防水シートからなるものであってもよい。また、前記付着強度を高める手段は、前記防水シートの表裏面には起毛が形成され、前記起毛が前記上層のコンクリート部材及び下層のコンクリート部材に埋め込まれているものであってもよい。
【００１２】
また、前記下層のコンクリート部材の下側にデッキスラブを備えてもよい。また、前記デッキスラブの下面を覆うように耐火性材料からなる耐火層を設けられていてもよい。また、前記下層のコンクリート部材及び前記上層のコンクリート部材の少なくとも一方が鉄筋コンクリート部材であってもよい。
また、本発明は、梁部材に支持される床スラブの防水方法であって、前記床スラブを、下層のコンクリート部材と、この下層のコンクリート部材の上側となる上層のコンクリート部材と、前記下層及び上昇のコンクリート部材の間に設けられる防水層とで構成し、  前記防水層を、少なくとも一部が前記梁部材の上方に配置されるプレートと、前記プレート間に跨って、前記下層のコンクリート部材の上面を覆うように配置された非透水性のシートとで構成し、前記プレートには、その上下面から前記梁部材の上方において夫々突出し、前記上層及び下層のコンクリート部材に埋設される補強部材を設けることを特徴とする床スラブの防水方法を含むものとする。
【発明の効果】
【００１３】
本発明によれば、構造体としての機能と防水性能とを確保した上で、構成部材の使用量を減少させて、コストを抑えることができる。また、せん断補強部材を耐火被覆のほどこされた鉄骨部材の上方に配置することにより、火災時にせん断補強部材の温度上昇を抑えることができるため、火災時にも構造体としての機能を充分に確保できる。
【発明を実施するための最良の形態】
【００１４】
以下、本発明の防水床スラブの第１実施形態について、図面に基づき説明する。図１は第１実施形態に係る防水床スラブ１を示す平面図である。防水床スラブ１は、鉄骨造の建物の雨水に曝される建物の屋上スラブなどの床スラブとして用いられるものであり、駐車場の床スラブのように積載荷重を支持する躯体としての機能も備える床スラブである。図１に示すように、防水床スラブ１は平面視矩形状に形成され、柱４間の大梁２又は大梁２間にかけられた小梁３に支持されている。大梁２及び小梁３はＨ型鋼からなり、ロックウールなどの耐火被覆５が施されている。防水床スラブ１の奥行き方向又は幅方向の少なくともいずれかの、大梁２又は小梁３の内法長さが３５０ｃｍ以下（本実施形態では３００ｃｍ）となるように構築されている。
【００１５】
図２は、図１における防水床スラブ１の中央部における縦断面図である。また、図３は、防水床スラブ１の大梁２又は小梁３付近の構成を示す断面図である。図２に示すように、防水床スラブ１は、下層のコンクリート部材２０と、上層のコンクリート部材３０と、下層のコンクリート部材２０および上層のコンクリート部材３０の間に配置された防水層１０と、下層のコンクリート部材２０の下側に配置されたデッキスラブ４０とを備えている。
下層のコンクリート部材２０は、デッキスラブ４０を型枠として利用することにより構成された現場打ちのコンクリート部材であり、コンクリート部材本体２１及びその上部に設けられたセメントペースト２４が固化した固着層２３とで構成される。
また、上層のコンクリート部材３０は、防水層１０を覆うように構成された現場打ちの鉄筋コンクリート部材であり、コンクリート部材本体３１と、その内部に埋設されたスラブ筋３２とで構成される。
防水床スラブを構成する上層のコンクリート部材３０及び下層のコンクリート部材２０の何れか一方のみでは建物の躯体を構成せず、上層のコンクリート部材３０と、防水層１０と、下層のコンクリート部材２０とが組み合わせられることによってはじめて建物の躯体として機能する。
【００１６】
なお、デッキスラブ４０を用いた場合には、鉄筋コンクリート部材のスラブ筋が負担する引張り応力をデッキスラブ４０が負担することができるので、上層のコンクリート部材３０及び下層のコンクリート部材２０を無筋のコンクリート部材とすることができる。
また、本実施形態では、下層のコンクリート部材２０をスラブ筋が埋設されていないコンクリート部材としたが、これに限らず、スラブ筋を埋設し、鉄筋コンクリート部材としてもよい。また、この場合、ひび割れ防止のために、上層のコンクリート部材３０に溶接金網（メッシュ筋）を埋設させてもよい。
【００１７】
また、図３に示すように、防水スラブ１は、大梁２又は小梁３の上方に、せん断補強部材５０を備える。大梁２の上面には略鉛直にスタッド５８が溶接されており、下層のコンクリート部材２０は、スタッド５８を埋設した状態で硬化している。これにより、防水床スラブ１は大梁２及び小梁３に強固に固定される。
【００１８】
図４は、せん断補強部材５０を示す斜視図である。同図に示すように、各せん断補強部材５０は、平面視矩形状で例えば金属製のプレート５２と、プレート５２の上下面からそれぞれ略垂直に突出する一対のシアー筋５４とを備えている。このようなシアー筋５４には、鉄筋やスタッドボルト等の金属製のものを用いることができ、その形状や寸法等は特に限定されず、プレート５２の上下面から突出する構成であればよい。
【００１９】
各シアー筋５４は、根元部分がプレート５２に溶接等により接合された円柱状の本体部５４Ａと、本体部５４Ａの先端部分から外側へ張り出すように形成された頭部５４Ｂとを備えている。プレート５２の上面から突出するシアー筋５４が上層のコンクリート部材３０内に埋設され、プレート５２の下面から突出するシアー筋５４が下層のコンクリート部材２０内に埋設される。このため、下層のコンクリート部材２０と上層のコンクリート部材３０との間でシアー筋５４を介してせん断応力を伝達することができ、防水床スラブ１の構造耐力を十分に確保できる。また、防水床スラブ１に対して、下層のコンクリート部材２０と上層のコンクリート部材３０との間を剥離させる向きの力が作用したとしても、各シアー筋５４の先端側に設けられた頭部５４Ｂにより、この力に対して抵抗することができる。
【００２０】
特に、火災などにより防水床スラブ１が火災により熱を受けると、防水床スラブ１を支持する大梁２又は小梁３の近傍において、上層のコンクリート部材３０と下層のコンクリート部材２０とが剥離し易くなる。これに対して、本実施形態の防水床スラブ１によれば、大梁２又は小梁３の上方に配置されたせん断補強部材５０により、この上層及び下層のコンクリート部材３０、２０を剥離させようとする力に対して抵抗するため、せん断ずれ変形を防止できる。
【００２１】
また、せん断補強部材５０をスラブの中央付近に設けた場合には、火災の熱によりシアー筋５４の耐力が低下してしまう虞があるが、本実施形態では、せん断補強部材５０を耐火被覆５の施された大梁２又は小梁３の上方に配置しているため、火災時などで防水床スラブ１が下方より熱に曝されても、耐火被覆により大梁２及び小梁３の上方は高温とならず、火災の熱によるシアー筋５４の耐力低下を防止することができる。このように、本実施形態によれば、火災時においても、上層及び下層のコンクリート部材３０、２０が一体となり、構造体として機能させることができる。
【００２２】
なお、本実施形態では、せん断補強部材５０を、５個を１つ単位としてユニット化して、せん断補強ユニット７０を構成している。図５に示すように、各せん断補強ユニット７０は、隣接するせん断補強部材５０間を、プレート５２の裏面から突出するシアー筋５４同士をつなぎ筋５６で連結することにより一体化されている。
【００２３】
また、図２及び図３に示すように、防水層１０は、下層のコンクリート部材２０と上層のコンクリート部材３０との間に設けられたせん断補強部材５０のプレート５２と、プレート５２及び下層のコンクリート部材２０を覆うように設けられた防水シート６０とで構成される。
【００２４】
図６は、防水シート６０の断面図である。同図に示すように防水シート６０は、例えば、エチレン酢酸ビニル樹脂などの樹脂製のシート状部材であるシート部材本体６２と、シート部材本体６２の表裏面に設けられた複数の起毛６１とを備える。このような防水シート６０としては、例えば、長谷川化学工業（株）のサンエーシート等を用いることができる。防水シート６０に用いられたエチレン酢酸ビニル樹脂などの樹脂は伸縮性を備えており、防水床スラブ１が変形を受けた場合には防水シート６０は防水床スラブ１の変形に追従して伸縮するので、防水シート６０が破損することを抑止できる。さらに、防水床スラブ１が曲げ変形を受けた場合には、防水シート６０が防水床スラブ１の断面中央付近に埋設されているため、防水シート６０に作用する曲げ応力は小さくなり、傷つきにくい。
【００２５】
図２に戻って、下層のコンクリート部材２０の固着層２３は無機性の硬化性流動剤であるセメントペースト２４が硬化したものである。このセメントペースト２４は、防水シート６０の表面の起毛６１を隙間なく取り囲むように硬化している。このため、固着層２３はその内部に埋設された起毛６１を強固に固着することができる。また、これと同様に、上層のコンクリート部材３０を構成するコンクリート部材本体３１は防水シート６０の表面の起毛６１の間に隙間なく取り囲むように硬化しているため、上層のコンクリート部材３０は起毛６１を強固に固着することができる。このため、下層のコンクリート部材２０と上層のコンクリート部材３０とは、防水シート６０を介してせん断力を互いに伝達することができる。
【００２６】
また、防水シート６０は、隣接するせん断補強部材５０のプレート５２の上面間を跨るような寸法で形成され、接着剤等を介してプレート５２の上面および下層のコンクリート部材２０の上面に貼付されている。つまり、下層のコンクリート部材２０の上面は、防水シート６０やプレート５２により覆われている。さらに、本実施形態では、例えば、図７に示すように、防水シート６０は、隣接する各プレート５２の間や、隣接するせん断補強ユニット７０の間などにおいて、互いに重なり合うようにして隙間なく配置されている。このように、防水シート６０やプレート５２を互いに重なり合うように貼付することにより、防水層１０による防水効果を確実なものにすることができる。
【００２７】
次に、このような防水床スラブ１の施工手順について説明する。
まず、大梁２又は小梁３を構成するＨ型鋼のフランジ上面にスタッド５８を溶接する。なお、この作業は、予め、加工工場などで、現場に搬入されるＨ型鋼にスタッド５８を取り付けておくことにより省略することができる。
次に、デッキスラブ４０を配置し、このデッキスラブ４０の上の所定位置にせん断補強ユニット７０を設置する。この際、せん断補強ユニット７０を所定の高さに配置するため、スペーサなどをせん断補強ユニット７０とＨ型鋼のフランジとの間に介材させてもよい。
【００２８】
次に、デッキスラブ４０を型枠として利用することにより、せん断補強部材５０のプレート５２の高さ位置までコンクリートを打設して、鉄筋コンクリート製の下層のコンクリート部材２０を構築する。そして、打設したコンクリートが硬化した後、この上面に固着層２３を構成する流動性のあるセメントペースト３４を所定の厚さ塗布する。セメントペースト３４は無機性の流動性硬化剤であるため、コンクリート部材本体２１を構成する現場打ちコンクリートの表面が湿潤していても表面の水分と分離することなく塗布することができる。
【００２９】
次に、セメントペースト３４が硬化する前に、セメントペースト３４の上側に防水シート６０が他の防水シート６０又はプレート５２と重なり合うように貼付する。この時、セメントペースト３４は流動性を有しているため、防水シート６０の起毛６１の間の空隙に隙間なく入り込むことができる。セメントペースト３４が硬化したのち、シアー筋５４が埋設される高さまでコンクリートを打設して、上層のコンクリート部材３０を構築する。この際、セメントペースト３４の上側に防水シート６０を貼付した場合と同様に、防水シート６０の起毛６１の空隙にコンクリートが隙間なく入り込む。上層のコンクリート部材３０のコンクリートが硬化することにより防水床スラブ１が構築される。
【００３０】
本実施形態によれば、以下のような効果がある。
(１)防水層１０に表面に起毛を有するエチレン酢酸ビニルからなる防水シート６０を用いることにより、上層及び下層のコンクリート部材３０、２０の間でせん断応力を伝達させることができる。さらに、せん断補強部材５０を設けることにより、下層のコンクリート部材２０と上層のコンクリート部材３０との間でせん断応力を伝達させることができ、防水床スラブ１に十分な耐力を付与できる。このように下層のコンクリート部材２０に加えて上層のコンクリート部材３０も構造体として機能するため、従来のように防水層を押えるための押えコンクリートが不要となり、下層のコンクリート部材２０および上層のコンクリート部材３０を構成する材料の使用量を減少させて、コストを抑えることができる。
【００３１】
(２)下層のコンクリート部材２０と上層のコンクリート部材３０との間に防水層１０を設けたので、上層のコンクリート部材３０の上に雨水等が降り注いでも、下層のコンクリート部材２０側へ雨水等が流れ込むことを防止できる。
【００３２】
(３)下層のコンクリート部材２０および上層のコンクリート部材３０の内部に防水層１０を埋設するような構成としたので、防水層１０の耐久劣化を抑えることができる。また、せん断補強部材５０の縦断面中央付近に防水シート６０を配置するようにしたので、防水床スラブ１に曲げモーメントが作用しても、縦断面中央付近には殆ど曲げ応力が作用しないから、曲げ応力による防水シート６０の損傷を抑えることができる。さらに、エチレン酢酸ビニル樹脂等の伸縮性を有する材料からなる防水シート６０を用いることで、防水床スラブ１がスパン比１／１５０程度の大変形を受けたとしても、亀裂等が生じず防水性を維持することができる。
【００３３】
(４)シアー筋５４にスタッドボルトを用いることにより、せん断補強部材５０を簡単に作成することができる。また、シアー筋５４に頭部５４Ｂを設けたので、下層のコンクリート部材２０と上層のコンクリート部材３０との間を剥離させようとする力を抑えることができる。
【００３４】
(５)プレート５２の上面を覆うように防水シート６０を貼付したので、せん断応力はシアー筋５４のみに作用し、プレート５２の表面が損傷しにくい。
【００３５】
(６)耐火被覆の施された大梁２又は小梁３の上方にせん断補強部材５０を設置することで、せん断補強部材５０の温度上昇を抑えることができる。これにより、火災時のせん断補強部材５０の耐力低下を防止することができ、防水床スラブ１としての耐火性能を向上することができる。
【００３６】
（７）せん断補強ユニット７０を設ける位置を大梁２又は小梁３の上方としたことにより、墨出しをしなくても、所定の位置に配置することが可能となる。このため、墨出しの手間を削減することができる。
【００３７】
＜第２実施形態＞
次に、本発明の第２実施形態に係る防水床スラブ１００について説明する。なお、前記第１実施形態と同一または相当する構成部品には、同じ符号を付して、その説明を省略または簡略化する。
本実施形態においても、第１実施形態と同様に、図２に示すように、防水床スラブ１００は、下層のコンクリート部材２０と、上層のコンクリート部材３０と、下層のコンクリート部材２０および上層のコンクリート部材３０の間に配置された防水層１０とを備えている。防水層１０は、下層のコンクリート部材２０と上層のコンクリート部材３０との間に設けられた複数のせん断補強部材５０と、これらのせん断補強部材５０間に設けられた防水シート６０とを備えている。
【００３８】
図８は、第２実施形態の防水床スラブ１００の大梁２又は小梁３付近の構成を示す平面図である。  同図に示すように、各せん断補強部材５０は、平面視矩形状で例えば金属製のプレート５２と、表面に螺条を有するスタッド８０と、挿通口をスタッド８０が挿通し、上層のコンクリート部材３０の上面に当接するように設けられた座金８１と、スタッド８０表面の螺条と螺合するナット８２と、を備えている。
スタッド８０は、下端が大梁２又は小梁３を構成するＨ型鋼のフランジ面に溶接されており、プレート５２を貫通し、上端が上層のコンクリート部材３０の上面より突出している。スタッド８０の上層のコンクリート部材３０の上面より突出した部分には、ナット８２が螺合しており、このナット８２がきつく締付けられることにより、上層及び下層のコンクリート部材３０、２０はナット８２とＨ型鋼により上下から拘束されている。
【００３９】
防水床スラブ１００は、火災などにより熱を受けると上層のコンクリート部材３０と、下層のコンクリート部材２０とが肌分かれを起こすことがある。しかし、本実施形態によれば、せん断補強部材５０により上層のコンクリート部材３０と下層のコンクリート部材２０とを押えつけているため、このような肌分かれを防止することができる。
【００４０】
次に、本実施形態の防水床スラブ１００の施工手順について説明する。
まず、大梁２又は小梁３を構成するＨ型鋼の上面にせん断補強部材５０のスタッド８０を溶接する。なお、スタッド８０は予め、加工工場などでＨ型鋼に溶接しておいてもよい。
次に、デッキスラブ４０を配置し、このデッキスラブ４０を型枠として用いて、せん断補強部材５０のプレート５２の高さまでコンクリートを打設する。
【００４１】
次に、コンクリート部材本体２１が硬化した後、下層のコンクリート部材２０の表面及びプレートの表面に、この上面に固着層２３を構成する流動性のあるセメントペースト３４を所定の厚さ塗布する。
次に、セメントペースト３４が硬化する前に、セメントペースト３４の上側に防水シート６０同士が重なり合うように貼付して防水層１０を構成する。
次に、上層のコンクリート部材３０の上面にあたる高さまでコンクリートを打設して、上層のコンクリート部材３０を構成する。次に、座金８１を上層のコンクリート部材の上面より突出したスタッド８０に貫通させ、スタッド８０にナット８２を締付ける。以上のようにして、防水床スラブ１００が構築される。
【００４２】
本実施形態によれば、第１実施形態の効果に加えて以下の効果を奏することができる。
（８）せん断補強ユニットのスタッド８０を鉄骨部材に溶接する構成としたため、梁とスラブを固定するスタッドを省略することができる。
【００４３】
（９）上層及び下層のコンクリート部材３０、２０を、せん断補強部材５０により上下から拘束することで、防水床スラブ１００の固定度も向上することができる。
【００４４】
なお、前記各実施形態で、防水シート６０として、表面に起毛を有するエチレン酢酸ビニル樹脂系シートを用いたが、これに限らず、アスファルト防水や、ウレタンゴム系塗膜シート等を採用してもよい。かかる構成であっても、せん断補強部材を設けることにより、上層及び下層のコンクリート部材が一体となり、構造体として機能する。
また、上記の両実施形態では、シアー筋又はスタッドを埋設する構成としたが、これに限らず、上層及び下層のコンクリート部材を跨ぐようにせん断強度が高い部材を埋設すればよい。
【図面の簡単な説明】
【００４５】
【図１】本発明の第１実施形態に係る防水床スラブを示す平面図である。
【図２】図１における防水床スラブの中央における縦断面図である。
【図３】第１実施形態に係る防水床スラブの大梁又は小梁付近の構成を示す平面図である。
【図４】せん断補強部材を示す斜視図である。
【図５】せん断補強ユニットの構成を示す図である。
【図６】防水シートの断面図である。
【図７】図１のＡ部に設けられた防水層の一部を示す平面図である。
【図８】第２実施形態の防水床スラブの大梁又は小梁付近の構成を示す平面図である。
【符号の説明】
【００４６】
１、１００  防水床スラブ                ２  大梁
３  小梁                                ４  柱
５  耐火被覆                            １０  防水層
２０  下層のコンクリート部材            ２１  （下層の）コンクリート部材本体
２３  固着層                            ２４  セメントペースト
３０  上層のコンクリート部材            ３１  （上層の）コンクリート部材本体
３２  スラブ筋                          ４０  デッキスラブ
５０  せん断補強部材                    ５２  プレート
５４  シアー筋                          ５４Ａ  本体部
５４Ｂ  柱頭部                          ５６  つなぎ筋
５８  スタッド                          ６０  防水シート
６１  起毛                              ６２  シート部材本体
７０  せん断補強ユニット                ８０  スタッド
８１  座金                              ８２  ナット
【図１】
2008008007.tif 000003
【図２】
2008008007.tif 000004
【図３】
2008008007.tif 000005
【図４】
2008008007.tif 000006
【図５】
2008008007.tif 000007
【図６】
2008008007.tif 000008
【図７】
2008008007.tif 000009
【図８】
2008008007.tif 000010